(57)【特許請求の範囲】
【請求項１】
送受信アンテナ（２ａ）と押しボタン（２ｂ）とを有する無線端末機（２）を格納する導電性の格納手段（１、１ａ、１ｂ）と、
前記格納手段内に取り付けられ前記無線端末機を載置する載置手段（１０、１０ａ）と、
前記格納手段の一端面における、前記載置手段に載置された前記無線端末機が有する前記押しボタンと対向する位置に取り付けられた導電性の操作手段（５）と
を具備し、
前記操作手段は、各々複数の操作孔（５ａ）が形成された第１の遮蔽板（５-1）と第２の遮蔽板（５-2）とが所定の間隔をあけて重ねられてなる
ことを特徴とするシールドボックス。
【請求項２】
前記操作手段は、透光性を有する素材によって形成される
ことを特徴とする請求項１に記載のシールドボックス。
【請求項３】
前記第１の遮蔽板が有する複数の操作孔（５ａ-1）と、これと対応し前記第２の遮蔽板が有する複数の操作孔（５ａ-2）とでは、各々が互いに中心の位置を異にして形成される
ことを特徴とする請求項１あるいは請求項２の何れかに記載のシールドボックス。
【請求項４】
前記第１の遮蔽板に形成された複数の操作孔と、これと対応し前記第２の遮蔽板に形成された複数の操作孔とでは、各々互いに内径寸法を異にする
ことを特徴とする請求項１ないし請求項３の何れかに記載のシールドボックス。
【請求項５】
前記格納手段内に取り付けられ前記送受信アンテナに電磁波を送信し、また前記送受信アンテナからの電磁波を受信する測定用アンテナ（１１）と、
前記格納手段の前記一端面あるいは他端面に取り付けられ、前記測定用アンテナと接続された高周波端子（３）と
を具備することを特徴とする請求項１ないし請求項４の何れかに記載のシールドボックス。
【発明の詳細な説明】
【０００１】
【発明の属する技術分野】
この発明は、無線端末機等の送受信検査に用いるシールドボックスであって、特に検査に際してボタン操作等の必要がある場合に好適なシールドボックスに関する。
【０００２】
【従来の技術】
近年、携帯電話をはじめとする移動電話や、無線データ端末等（以降、移動無線端末あるいは移動無線端末機と称する）がめざましく発達して普及しているとともに、さらに需要の伸びも見込まれている。
これに伴い、これら移動無線端末機の開発サイクルも短くなり、修理等の件数も大幅に増加している。
【０００３】
ところで、移動無線端末機の開発や製品の出荷時、あるいは修理に際しては、当該機器の性能検査（性能試験）が欠かせない。
この性能検査の１つとして、送信電波の質（送信電力や占有周波数帯域幅あるいは周波数偏差等）と受信感度の検査（以降、送受信検査と称する）が挙げられる。
【０００４】
従来は、移動無線端末機は着脱自在の高周波端子（接栓）を備えており、この高周波端子に送受信アンテナが取り付けられていた。また、移動無線端末機の本体に直接送受信アンテナが取り付けられていても、高周波端子が別に備えてあった。そこで、電力計やスペクトルアナライザ、あるいは標準信号発生器等を有する試験器を、高周波ケーブルによって高周波端子に接続して送受信検査を実施していた。
【０００５】
ところが、近年の移動無線端末の普及に伴い、移動無線端末機にはより小型軽量化、低価格化が要求されるようになった。このため、高周波端子を備えず、本体に直接送受信アンテナが取り付けられる機種も開発されるようになった。
【０００６】
そこで、このように高周波端子を装備しない移動無線端末機では、一般にエア結合と称される測定方法を用いらざるを得ない。このエア結合とは、移動無線端末機に取り付けられた送受信アンテナから所定の距離の場所に測定用アンテナを設置し、この測定用アンテナを用いて試験電波を送受信するものである。
【０００７】
ところがエア結合によれば、移動無線端末機の送受信アンテナならびに測定用アンテナからは電波が送信されるため、近隣の基地局に影響を与える。また、これらアンテナは近隣の基地局からの電波ならびに雑音等の不要電波も受信してしまう。さらに、これらアンテナから送信された電波が近接する建物等に当たって生じる反射波も無視できない。
【０００８】
従って、こういったエア結合による送受信検査は、外界とは電磁界が相互に遮断され且つ内部反射のない電波暗室の中での実施が理想的であるが、電波暗室は極めて高価であるため容易に採用されない。そこで、このように高価な電波暗室に代わって、安価で手軽なシールドボックスが開発され、用いられるようになった。
【０００９】
図３は従来のシールドボックスの一例であり、全体構成を示す斜視図である。このシードボックス１０１は、筐体１０１ａと蓋１０１ｂとから構成されており、何れも高周波電磁界に対して遮蔽効果のある金属から形成されている。
【００１０】
筐体１０１ａの一面（図３では上面）には開口面を有しており、この開口面から携帯電話機１０２（移動無線端末）を出し入れすることができる。また蓋１０１ｂは開口面を覆う形状をなしており、シールドボックス１０１の内部に格納された携帯電話機１０２を遮蔽する。
【００１１】
また、筐体１０１ａと蓋１０１ｂの何れも、その内部の全面に電波吸収体１０１ｃ、１０１ｃ・・・が貼付されている。この電波吸収体１０１ｃには様々なものが開発されているが、公知であるので、ここでは詳細な説明については省略する。
【００１２】
筐体１０１ａ内には、図示しないが携帯電話機１０２を載置するテーブルと、やはり図示しないがテーブルの下部にダイポールアンテナとを有している。このテーブルは電磁波を問題なく透過する材質が用いられており、携帯電話機１０２に取り付けられたアンテナ１０２ａとダイポールアンテナとのエア結合が可能となっている。
【００１３】
筐体１０１ａの他の一面（図３では側面）には高周波端子１０３ａと制御端子１０３ｂとを有している。この高周波端子１０３ａは上述の図示しないダイポールアンテナに接続されている。また制御端子１０３ｂは、携帯電話機１０２が有する音声端子や、無線データ端末を測定する場合にデータ端子と接続するものである。
【００１４】
【発明が解決しようとする課題】
ところで、携帯電話機１０２は電話番号の入力やその他の操作を行うための押しボタン１０２ｂを有している。携帯電話機１０２の送受信検査に際しては、携帯電話機１０２の各種操作をする必要もあるが、外部操作やデータ伝送用のデータ端子を有さない携帯電話機１０２では、押しボタン１０２ｂによって各種操作をする必要がある。
【００１５】
そこで、蓋１０１ｂにおいて携帯電話機１０２の押しボタン１０２ｂに対応すると想定される位置には、窓１０４が形成されている。また、この窓１０４には複数の小孔１０５ａ、１０５ａ・・・が形成された遮蔽板１０５が取り付けられている。
【００１６】
図４は、窓１０４部の詳細な構成を示す斜視図である。なお図４に示すように、この窓１０４部は遮蔽作用のある扉１０４ａを有しており、扉１０４ａによって窓１０４部を覆って遮蔽することもできる。
【００１７】
押しボタン１０２ｂ（図３参照）の操作は、この小孔１０５ａ、１０５ａ・・・の何れかを介して、操作棒１０６の先端部によって押下して行う。また、窓１０４からの操作が困難である場合には、蓋１０１ｂを解放して操作を行うことになる。
【００１８】
上述のように、窓１０４に取り付けられた遮蔽板には小孔１０５ａ、１０５ａ・・・の形成されているため、押しボタン１０２ｂの操作のために扉１０４ａ（図４参照）を解放すると遮蔽効果が低下してしまう。
【００１９】
このため、近隣の基地局に影響を与えてしまうとともに、測定に供されている携帯電話機１０２が近隣の基地局の回線に接続され（即ち、制御の権限が基地局に奪われ）、測定そのものが不可能になるという問題があった。
【００２０】
この発明は、このような背景の下になされたもので、供試体が有する押しボタンを容易に操作できる優れた操作性と、この供試体と近隣の基地局その他との相互の影響を防止する高い遮蔽作用を有するシールドボックスを提供することを目的としている。
【００２１】
【課題を解決するための手段】
上述した課題を解決するために、請求項１に記載の発明にあっては、送受信アンテナと押しボタンとを有する無線端末機を格納する導電性の格納手段と、前記格納手段内に取り付けられ前記無線端末機を載置する載置手段と、前記格納手段の一端面における、前記載置手段に載置された前記無線端末機が有する前記押しボタンと対向する位置に取り付けられた導電性の操作手段とを具備し、前記操作手段は、各々複数の操作孔が形成された第１の遮蔽板と第２の遮蔽板とが所定の間隔をあけて重ねられてなることを特徴とする。
また、請求項２に記載の発明によれば、請求項１に記載のシールドボックスでは、前記操作手段は、透光性を有する素材によって形成されることを特徴とする。
また、請求項３に記載の発明にあっては、請求項１あるいは請求項２の何れかに記載のシールドボックスでは、前記第１の遮蔽板が有する複数の操作孔と、これと対応し前記第２の遮蔽板が有する複数の操作孔とでは、各々が互いに中心の位置を異にして形成されることを特徴とする。
また、請求項４に記載の発明では請求項１ないし請求項３の何れかに記載のシールドボックスでは、前記第１の遮蔽板に形成された複数の操作孔と、これと対応し前記第２の遮蔽板に形成された複数の操作孔とでは、各々互いに内径寸法を異にすることを特徴とする。
また、請求項５に記載の発明にあっては、請求項１ないし請求項４の何れかに記載のシールドボックスでは、前記格納手段内に取り付けられ前記送受信アンテナに電磁波を送信し、また前記送受信アンテナからの電磁波を受信する測定用アンテナと、前記格納手段の前記一端面あるいは他端面に取り付けられ、前記測定用アンテナと接続された高周波端子とを具備することを特徴とする。
【００２２】
この発明によれば、格納手段の一端面に形成された開口部には、所定の間隔をあけて重ねられた第１の遮蔽板と第２の遮蔽板とからなる操作手段が取り付けられている。この操作手段は導電性を有しているとともに、第１の遮蔽板には複数の操作孔が形成され、第２の遮蔽板にもこれに対応して複数の操作孔が形成されており、格納手段内は効果的に電磁遮蔽されるとともに、操作孔を介して操作棒等によって格納手段内の載置手段上に載置された無線端末機の押しボタンを操作することができる。従って請求項１に記載の発明では、操作性を損ねずにシールドボックスの遮蔽効果が高められる。
【００２３】
また請求項２に記載の発明では、操作手段は透光性を有しているため、格納手段内の載置手段上に載置された無線端末機の押しボタンを容易に視認することができる。
【００２４】
また請求項３に記載の発明では、第１の遮蔽板が有する複数の操作孔と第２の遮蔽板が有する複数の操作孔とでは中心の位置がずれており、遮蔽効果がより高まる。
【００２５】
さらに請求項４に記載の発明では、第１の遮蔽板に形成された複数の操作孔と第２の遮蔽板に形成された複数の操作孔とでは内径寸法が異なる。従って、操作棒等の操作角範囲が広くなるとともに操作部に形成する操作孔の個数を減らすことも可能であり、操作性をさらに向上させ且つ同時に遮蔽効果を高めることができる。
【００２６】
【発明の実施の形態】
以下に本発明について説明する。図１は本発明の一実施の形態にかかるシールドボックス１の構成を示す側断面図である。なお本実施の形態では、移動無線端末機として携帯電話機２を適用した例を挙げて説明する。
【００２７】
図１において１ａは筐体であり、形状の一例としては同図に示すようにコの字状の断面を有している。なお、図１においては、筐体１ａの上面が開口面になっている。
【００２８】
１ｂは蓋であり、筐体１ａの開口面を覆う形状をなしており、この蓋１ｂによって筐体１ａの開口面を閉じると、本実施の形態のシールドボックス１は直方体の外観形状となる。
【００２９】
なお筐体１ａと蓋１ｂとの何れも、高周波電磁界に対して遮蔽効果のある金属（例えばアルミニウム等）から形成されている。従って、シールドボックス１内は外界とは電磁波が相互に遮蔽される。
【００３０】
また、１ｃは電磁波の反射の発生を防止する電波吸収体であり、筐体１ａの内部の全面と蓋１ｂの一部を除く内面に貼付されている。この電波吸収体１ｃの表面では、携帯電話機２が有するアンテナ２ａや後述するダイポールアンテナ１１が送信する電磁波が入射しても、この電磁波は吸収され、反射波を生じることはない。
【００３１】
筐体１ａの内部には、携帯電話機２を載置するためのテーブル１０が設けられている。このテーブル１０は、例えばアクリル樹脂のように電磁波を問題なく透過させる材質によって形成されているとともに、テーブル１０の上部台１０ａの上面はシリコン樹脂等によるマットが置かれており、載置された携帯電話機２が容易に摺動しない構成となっている。
【００３２】
上述のように、本実施の形態に示す携帯電話機２はアンテナ２ａを有している。一方、筐体１ａ内において上述の上部台１０ａを挟んでアンテナ２ａと対向する位置にはダイポールアンテナ１１が取り付けられており、筐体１ａの一側面に設けられた高周波端子３と接続されている。
【００３３】
また、携帯電話機２は押しボタン２ｂを有しており、蓋１ｂにおいて押しボタン２ｂの位置と対応すると想定される位置には窓４が形成されている。そして窓４には、遮蔽操作部５が取り付けられている。
【００３４】
この遮蔽操作部５は、２枚の遮蔽板５-1、５-2を所定の間隔をあけて重ねることで構成されている。この遮蔽板５-1、５-2の各々は、可視光を透過するとともに遮蔽作用を有する導電素材（一例としてアクリルメッシュ板等）によって形成されており、また各々複数の小孔５ａ、５ａ・・・を有している。
【００３５】
即ち、これら遮蔽板５-1、５-2を介して携帯電話機２が有する押しボタン２ｂの位置の目視が可能で、かつ後述するように操作棒６によって、この押しボタン２ｂを押下することができる。
【００３６】
本実施の形態では図１に示すように、所定の間隔をあけて２枚の遮蔽板５-1、５-2を重ねた構成とすることで、各々の遮蔽板５-1、５-2に流れる電流が互いに遠くなる。これにより、遮蔽操作部５の遮蔽効果がより高くなる。
【００３７】
なお詳細な図示ならびに説明は省略するが、蓋１ｂと遮蔽操作部５との間、あるいは２枚の遮蔽板５-1、５-2の間は、電磁波が透過することのない構成となっている。
【００３８】
本実施の形態では、まずシールドボックス１の蓋１ｂを開放して、筐体１ａ内のテーブル１０上に携帯電話機２を載置する。このとき携帯電話機２を所定の位置に載置し、携帯電話機２のアンテナ２ａと測定用のダイポールアンテナ１１とを所定の位置関係にて対向させる。
【００３９】
上述のようにテーブル１０の上部台１０ａの上面はシリコン樹脂等のマットが置かれている。このシリコン樹脂マットは表面の摩擦係数が極めて大きいため、載置された携帯電話機２が概ね固定される。
【００４０】
次にシールドボックス１の蓋１ｂを閉じることにより、携帯電話機２が外界とは電磁波が相互に遮蔽される。
この後、高周波端子３に外部の測定器（図示省略）を接続し、携帯電話機２の測定を開始する。
【００４１】
この測定に際し、上述したように遮蔽板５-1、５-2を介して押しボタン２ｂの目視が可能である。また同時に、遮蔽操作部５に設けられた複数の小孔５ａ、５ａ・・・の何れかを介し、操作棒６の先端部によって携帯電話機２の押しボタン２ｂの何れかを押下することができる。
【００４２】
以上説明したように、所定の間隔をあけて２枚の遮蔽板５-1、５-2を重ねることで、複数の小孔５ａ、５ａ・・・が形成可能なため操作性を損なうことがなく、且つ高い遮蔽作用を得ることができる。
【００４３】
なお上述の実施の形態において、遮蔽板５-1と遮蔽板５-2との間隔や、複数の小孔５ａ、５ａ・・・の内径等は、測定に供する携帯電話機２が使用する電波の周波数等によって決定される。
【００４４】
図２は、図１に示した遮蔽操作部５の別の例について、詳細な構成を示す側断面図である。図２（ａ）に示す構成では、遮蔽板５-1が有する小孔５ａ-1、５ａ-1・・・と遮蔽板５-2が有する小孔５ａ-2、５ａ-2・・・とでは互いに中心がずれている。
このように構成することで遮蔽操作部５において、より高い遮蔽効果を得ることができる。
【００４５】
一方図２（ｂ）に示す構成では、遮蔽板５-1が有する小孔５ａ-1、５ａ-1・・・と遮蔽板５-2が有する小孔５ａ-2、５ａ-2・・・とでは互いに内径が異なっている。この図２（ｂ）に示す構成では、小孔５ａ-2、５ａ-2・・・の内径が小孔５ａ-1、５ａ-1・・・の内径より大きくなっている。
このように構成することで、操作棒６による操作角範囲が広くなり、より携帯電話機２の押しボタン２ｂの操作（押下）が容易になる。
【００４６】
また図２（ｂ）に示す構成によれば、操作棒６による操作角範囲が広くなるので、１つの小孔５ａから複数の押しボタン２ｂを操作することが可能になる。
従って、遮蔽操作部５に形成される小孔５ａ、５ａ・・・の個数を減らすことができ、こうすることでさらに遮蔽効果を高めることも可能になる。
【００４７】
勿論、図２（ｂ）に示す構成において、図２（ａ）に示す構成のように、遮蔽板５-1が有する小孔５ａ-1、５ａ-1・・・と遮蔽板５-2が有する小孔５ａ-2、５ａ-2・・・とでは互いに中心がずれていてもよい。
【００４８】
また、図２（ｂ）では小孔５ａ-2、５ａ-2・・・の内径が小孔５ａ-1、５ａ-1・・・の内径より大きい構成を例に挙げて示しているが、小孔５ａ-1、５ａ-1・・・の内径が小孔５ａ-2、５ａ-2・・・の内径よりも大きい構成であってもよい。さらには、対応する組み合わせの各々において、小孔５ａ-1と小孔５ａ-2の何れが大きいかが異なる構成であってもよい。
【００４９】
なお、上述の実施の形態において説明した各部を構成する材質は一例であり、本発明はこれら例に挙げた材質のものに限定されない。上述の実施の形態と同等に構成することが可能であり、同等以上の効果を得られるものであれば何れにあっても適用可能である。
【００５０】
また、遮蔽板５-1と５-2との間隔や各部の寸法、あるいは各部の寸法の比率等は一例である。即ち、これらは測定対象となる周波数等によって決定されるものであり、上述の実施の形態のものに限定されたものではない。
【００５１】
さらに、本実施の形態ではシールドボックスに携帯電話機を格納して測定する例を挙げて説明したが、携帯電話の他、無線データ端末機等、全ての移動無線端末機を測定する場合にも適用可能である。
【００５２】
【発明の効果】
以上説明したように、この発明によれば、格納手段の一端面に形成された開口部には、所定の間隔をあけて重ねられた第１の遮蔽板と第２の遮蔽板とからなる操作手段が取り付けられている。この操作手段は導電性を有しているとともに、第１の遮蔽板には複数の操作孔が形成され、第２の遮蔽板にもこれに対応して複数の操作孔が形成されており、格納手段内は効果的に電磁遮蔽されるとともに、操作孔を介して操作棒等によって格納手段内の載置手段上に載置された無線端末機の押しボタンを操作することができる。また操作手段は透光性を有している。また第１の遮蔽板が有する複数の操作孔と第２の遮蔽板が有する複数の操作孔とでは中心の位置がずれている。さらには第１の遮蔽板に形成された複数の操作孔と第２の遮蔽板に形成された複数の操作孔とでは内径寸法が異なるものとしているので、供試体が有する押しボタンを容易に操作できる優れた操作性と、この供試体と近隣の基地局その他との相互の影響を防止する高い遮蔽作用を有するシールドボックスが実現可能であるという効果が得られる。
【図面の簡単な説明】
【図１】  本発明の一実施の形態にかかるシールドボックス１の構成を示す側断面図である。
【図２】  図１に示した遮蔽操作部５の別の例について、詳細な構成を示す側断面図である。
【図３】  従来のシールドボックスの全体構成を示す斜視図である。
【図４】  図３に示したシールドボックスにおける窓１０４部の詳細な構成を示す斜視図である。
【符号の説明】
１  シールドボックス（格納手段）
１ａ  筐体（格納手段）
１ｂ  蓋（格納手段）
２  携帯電話機（無線端末機）
２ａ  アンテナ（送受信アンテナ）
２ｂ  押しボタン
３  高周波端子
５  遮蔽操作部（操作手段）
５-1  遮蔽板（第１の遮蔽板）
５-2  遮蔽板（第２の遮蔽板）
５ａ、５ａ-1、５ａ-2  小孔（操作孔）
１０  テーブル（載置手段）
１０ａ  上部台（載置手段）
１１  ダイポールアンテナ（測定用アンテナ）
【図１】
0003673338.tif 000002
【図２】
0003673338.tif 000003
【図３】
0003673338.tif 000004
【図４】
0003673338.tif 000005